(57)【特許請求の範囲】
【請求項１】
透明カバー(３)上に、飛散防止シート(４)を貼り付け、該飛散防止シート(４)に、連続する周縁を有する開口(40)を形成し、該開口(40)の周縁により接着剤(６)をせき止めて前記開口(40)内にて透明カバー(３)上に接着剤(６)の層を形成して、該接着剤(６)により透明カバー(３)にディスプレイ(５)を取り付けて構成されるディスプレイユニット。
【請求項２】
前記飛散防止シート(４)は、紫外線を照射されて表面が硬化したシートであり、
前記接着剤(６)は、紫外線により硬化する接着剤である、
請求項１に記載のディスプレイユニット。
【請求項３】
前記透明カバー(３)は、ガラス製であり、
前記飛散防止シート(４)は、ガラスに対する粘着性を有する、
請求項１又は請求項２に記載のディスプレイユニット。
【請求項４】
請求項１乃至請求項３の何れかに記載のディスプレイユニットを具えた携帯端末機器。
【請求項５】
連続する周縁を有する開口(40)を形成した紫外線を照射されて表面が硬化した飛散防止シート(４)を用意する工程と、
透明カバー(３)上に前記飛散防止シート(４)を貼り付ける工程と、
前記飛散防止シート(４)の開口(40)内にて透明カバー(３)上に紫外線により硬化する接着剤(６)を塗布して、前記周縁により前記接着剤(６)をせき止めることで接着剤(６)の層を形成する工程と、
前記接着剤(６)の層上にディスプレイ(５)を載置する工程と、
前記開口(40)内にのみ、紫外線を照射して前記接着剤(６)を硬化させ、前記透明カバー(３)上に、前記ディスプレイ(５)を取り付ける工程と、
を有するディスプレイユニットの組立方法。
【発明の詳細な説明】
【技術分野】
【０００１】
本発明は、ディスプレイユニット及び該ディスプレイユニットを具えた携帯端末機器、具体的には透明カバーに薄手のディスプレイを貼り付けて構成されるディスプレイユニットと、その組立方法に関する。
【背景技術】
【０００２】
斯種ディスプレイユニットを具えた携帯端末機器として、図６に示すようにキャビネット(２)上に、有機ＥＬディスプレイ(５)を具えた機器が開示されている(特許文献１参照)。
有機ＥＬディスプレイ(５)は液晶ディスプレイに比して、薄手であり、衝撃を受けた際に、割れやすい。
図７は、図６をＡ−Ａ線を含む面にて破断し矢視した断面図である。キャビネット(２)の上面には、第１凹面(20)が形成され、該第１凹面(20)内に第２凹面(21)が形成される。第１凹面(20)には強化ガラスから形成された透明カバー(３)が取り付けられ、該透明カバー(３)上に、ガラスへの粘着性を有して、透明カバー(３)が割れた際のガラスの飛散を防ぐ飛散防止シート(４)が被さる。
透明カバー(３)の下面には、有機ＥＬディスプレイ(５)がＳＶＲ(スーパービューレジン)と呼ばれる接着剤(６)にて貼り付けられて、第２凹面(21)内に位置する。
ディスプレイユニット(１)を構成する手順としては、先ず透明カバー(３)の下面に有機ＥＬディスプレイ(５)を接着剤(６)にて貼り付ける。この後に、飛散防止シート(４)及び透明カバー(３)の上から、ＵＶ(紫外線)を照射して接着剤(６)を硬化させる。飛散防止シート(４)、透明カバー(３)、接着剤(６)の層、有機ＥＬディスプレイ(５)が重なって、ディスプレイユニット(１)が構成される。
尚、透明カバー(３)はスクリーンとも呼ばれる。透明カバー(３)に衝撃が加わって、透明カバー(３)が割れても、透明カバー(３)のガラスの破片は飛散防止シート(４)にくっついて、飛散しない。
【０００３】
【特許文献１】特開２００４−１８０２７１号公報
【発明の開示】
【発明が解決しようとする課題】
【０００４】
従来の構成では、飛散防止シート(４)、透明カバー(３)、接着剤(６)の層、有機ＥＬディスプレイ(５)の４つが重なった構成となっている。斯種端末機器は薄型化が求められており、従来の構成では薄型化達成の障害となっていた。また、接着剤(６)は硬化前は液体であるが、透明カバー(３)への塗布時に不規則に拡がる傾向があり、接着剤(６)の拡がり量、具体的には接着剤(６)が透明カバー(３)からはみ出す量や硬化後の形状にバラ付きがあり、管理ができなかった。
出願人は、機器の薄型化を達成すべく、種々模索していたところ、接着剤(６)にて透明カバー(３)が破損した際のガラス飛散防止を兼用することを着想した。また、飛散防止シート(４)には粘着性があり、透明カバー(３)の下面に配備されても(図２参照)、透明カバー(３)が割れた際のガラスの飛び散りを防ぐ効果があることにも着目した。
本発明の目的は、接着剤(６)にて透明カバー(３)が破損した際のガラス飛散防止を兼用することにより、薄型化を達成することにある。合わせて、接着剤(６)の拡がり量及び硬化後の形状のバラ付きを抑えることも目的とする。
【課題を解決するための手段】
【０００５】
ディスプレイユニット(１)は、透明カバー(３)上に飛散防止シート(４)を貼り付け、該飛散防止シート(４)に、連続する周縁を有する開口(40)を形成し、該開口(40)の周縁により接着剤(６)をせき止めて前記開口(40)内に接着剤(６)の層を形成して、該接着剤(６)により透明カバー(３)にディスプレイ(５)を取り付けて構成される。透明カバー(３)はガラス製であり、飛散防止シート(４)はガラスに対する粘着性を有する。
【発明の効果】
【０００６】
１．本発明にあっては、開口(40)内に塗布された接着剤(６)の層と飛散防止シート(４)が透明カバー(３)上に並んで位置し、接着剤(６)の層と飛散防止シート(４)は重ならない。開口(40)内に塗布された接着剤(６)は、ディスプレイ(５)を透明カバー(３)上に固定するとともに、透明カバー(３)が破損した際のガラスの飛び散りを防ぐ役割を果たす。これにより、ガラスの飛び散りを防ぐ効果を維持しつつ、機器全体の薄型化を達成することができる。
２．塗布した接着剤(６)は透明カバー(３)上に拡がっても、開口(40)の周縁にてせき止められて、該拡がりが止まる。そのため、接着剤(６)の拡がり量及び硬化後の形状のバラ付きを抑えることができる。
【発明を実施するための最良の形態】
【０００７】
以下、本発明の一実施例を図を用いて説明する。
図１は、本例のディスプレイユニット(１)を具えた携帯端末機器、具体的には携帯電話の斜視図である。ディスプレイユニット(１)を具えたキャビネット(２)は、支持箱体(７)上をスライド可能に設けられ、キャビネット(２)と支持箱体(７)とが重なった状態からキャビネット(２)が矢印Ｄ方向にスライドすると、支持箱体(７)上の操作釦(70)(70)が露出する。
【０００８】
図２は、図１のキャビネット(２)をＢ−Ｂ線を含む面にて破断し矢視した拡大断面図である。キャビネット(２)の上面には、第１凹面(20)が形成され、該第１凹面(20)内に第２凹面(21)が形成される。ディスプレイユニット(１)は、強化ガラスから形成された透明カバー(３)と、該透明カバー(３)の下面に取り付けられて、透明カバー(３)が破損した際のガラスの飛び散りを防ぐ飛散防止シート(４)と、該飛散防止シート(４)の下側に位置する有機ＥＬディスプレイ(５)とで構成される。飛散防止シート(４)には薄く接着剤(図示せず)が塗布されて粘着性があり、透明カバー(３)の下面に配備されても、透明カバー(３)が割れた際のガラスの飛び散りを防ぐことができる。飛散防止シート(４)の中央部は開口(40)して、該開口(40)内に接着剤(６)が塗布されて、接着剤(６)の層が形成される。
開口(40)内に塗布された接着剤(６)は、ディスプレイ(５)を透明カバー(３)上に固定するとともに、透明カバー(３)が破損した際のガラスの飛び散りを防ぐ役割を果たす。
透明カバー(３)の周縁部が第１凹面(20)の周縁部上に取り付けられ、有機ＥＬディスプレイ(５)が第２凹面(21)内に位置して、ディスプレイユニット(１)はキャビネット(２)内に収納される。第２凹面(21)の底面にはクッション(22)が設けられ、キャビネット(２)が受けた衝撃荷重が直接有機ＥＬディスプレイ(５)に伝わることを防ぐ。
【０００９】
ディスプレイユニットの組立方法
ディスプレイユニット(１)の組立方法を、図３乃至図５を用いて説明する。図３乃至図５では、上下位置を図２とは逆にして示す。
先ず、図３(a)に示すように、スクリーンと呼ばれる透明カバー(３)上に、中央部が開口(40)した飛散防止シート(４)を貼り付ける。即ち、図２に於ける透明カバー(３)の裏面に飛散防止シート(４)を貼り付けるのであり、上表面に貼り付けていた従来の構成とは異なる。次に、図３(b)に示すように、開口(40)内にＳＶＲ(スーパービューレジン)と呼ばれる接着剤(６)を塗布する。接着剤(６)は液状であって、開口(40)内を拡がるが、開口(40)の周縁部に達すると、せき止められて、拡がりを止められる。
次に、図４に示すように、接着剤(６)の層の上に、可撓性基板(50)付きの有機ＥＬディスプレイ(５)を載置する。該接着剤(６)が開口(40)内を均一に拡がった後に、透明カバー(３)の下側からＵＶを照射し、接着剤(６)を硬化させる。透明カバー(３)上に、ディスプレイ(５)が取り付けられる。この場合、ＵＶを照射する範囲は、開口(40)の内側だけであり、飛散防止シート(４)にはＵＶを照射しない。
図５は、図４をＣ−Ｃ線を含む面にて破断し矢視した断面図である。上記手順により、開口(40)内を充填した接着剤(６)の層上に、有機ＥＬディスプレイ(５)が貼り付けられたディスプレイユニット(１)が完成する。透明カバー(３)の下面には、ＵＶをカットし、飛散防止シート(４)と同じ形をした印刷層(30)が形成されており、前記の如く、透明カバー(３)の下側からＵＶを照射しても、印刷層(30)によって飛散防止シート(４)にはＵＶが照射されない。ディスプレイユニット(１)を図２のキャビネット(２)の第１凹面(20)内に取り付ける。
【００１０】
飛散防止シート(４)は、それ自身がＵＶを照射されて表面が硬化したシートである。従って、飛散防止シート(４)にＵＶを照射すると、過度にＵＶを照射することになり、却って劣化する虞れがある。従って、印刷層(30)によって飛散防止シート(４)へのＵＶ照射をカットし、且つＵＶを開口(40)の内側にのみ照射し、飛散防止シート(４)のＵＶ照射による劣化を防いでいる。
【００１１】
本例の効果
１．本例にあっては、開口(40)内にて透明カバー(３)上に塗布された接着剤(６)の層と飛散防止シート(４)が透明カバー(３)上に並んで位置し、接着剤(６)の層と飛散防止シート(４)は重ならない。開口(40)内に塗布された接着剤(６)は、ディスプレイ(５)を透明カバー(３)上に固定するとともに、透明カバー(３)が破損した際のガラスの飛び散りを防ぐ役割を果たす。これにより、ガラスの飛び散りを防ぐ効果を維持しつつ、機器全体の薄型化を達成することができる。
２．塗布した接着剤(６)は透明カバー(３)上に拡がっても、開口(40)の周縁にて該拡がりが止まる。そのため、接着剤(６)の拡がり量及び硬化後の形状のバラ付きを抑えることができる。
３．ＵＶは、開口(40)の内側にのみ照射されて、接着剤(６)を硬化させる。ＵＶは、飛散防止シート(４)には照射されないから、飛散防止シート(４)のＵＶ照射による劣化を防ぐことができる。
【００１２】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
本例にあっては、ディスプレイ(５)として、有機ＥＬディスプレイを例示したが、液晶ディスプレイでもよい。
【図面の簡単な説明】
【００１３】
【図１】本例のディスプレイユニットを具えた携帯電話の斜視図である。
【図２】図１のキャビネットを、Ｂ−Ｂ線を含む面にて破断し矢視した拡大断面図である。
【図３】(a)、(b)は、ディスプレイユニットの組立方法を示す斜視図である。
【図４】ディスプレイユニットの組立方法を示す斜視図である。
【図５】図４をＣ−Ｃ線を含む面にて破断し矢視した断面図である。
【図６】従来の携帯端末機器の斜視図である。
【図７】図６をＡ−Ａ線を含む面にて破断し矢視した断面図である。
【符号の説明】
【００１４】
(１)  ディスプレイユニット
(３)  透明カバー
(４)  飛散防止シート
(５)  ディスプレイ
(６)  接着剤
(40)  開口
【図１】
0005180642.tif 000002
【図２】
0005180642.tif 000003
【図３】
0005180642.tif 000004
【図４】
0005180642.tif 000005
【図５】
0005180642.tif 000006
【図６】
0005180642.tif 000007
【図７】
0005180642.tif 000008